(57)【要約】  【課題】  不正行為である複数種類の外力を適切に検知する。  【解決手段】  吊り下げ支持された球４１が振動または磁力によって揺れ、コイル４０の内面に接触すると、検知器が通電し不正行為検知信号がパチンコ遊技機１に備えられた公知の制御基板に出力される。また、コイル４０部が電波を受けると電磁誘導によりコイル４０に起電力が発生し、起電力検出部３３ａが検知すると不正行為検知信号がパチンコ遊技機１に備えられた公知の制御基板に出力される。図３で示す構造を持つ磁気振動電波検知器３３を用いることにより、複数の外力を単一の検知器で検知し、加えて入球口近傍で適切に検知することを可能とする。   【選択図】      図３
2008272335.tif 000002
【特許請求の範囲】
【請求項１】
遊技球の入球に基づいて遊技者に有利な特別遊技を付与することとなる入球口を備えたパチンコ遊技機において、該パチンコ遊技機を誤動作させる電波、及び該パチンコ遊技機に衝撃を加えることによる振動を検知する単一の不正行為検知器を備えたことを特徴とするパチンコ遊技機。
【請求項２】
前記パチンコ遊技機において、前記不正行為検知器が磁石の接近を検知することを特徴とする請求項１記載のパチンコ遊技機。
【請求項３】
前記不正行為検知器を前記入球口の近傍に設置することを特徴とする請求項１又は２記載のパチンコ遊技機。
【請求項４】
前記不正行為検知器を前記入球口が配置された役物内に設置することを特徴とする請求項１乃至３記載のパチンコ遊技機。
【請求項５】
前記不正行為検知器は、筒状の外殻と該外殻内部の水平面略中心に導電体が吊り下げられた形状とし、振動または磁力によって生じる該導電体の振子運動により該導電体が該外殻内部に接触することにより振動または磁力を検知し、該外殻が電波を受けることにより、該外殻に起電力が生じる構造としたことを特徴とした請求項１乃至４記載のパチンコ遊技機。
【発明の詳細な説明】
【技術分野】
【０００１】
本発明は、複数種類の不正行為を検知する単一の不正行為検知器を備えたパチンコ遊技機に関するものである。
【背景技術】
【０００２】
パチンコ遊技機として、複数の入球口を前面に配設した遊技盤と、該遊技盤が装着された遊技枠と、該遊技枠の前面下部に遊技球を貯留する上皿と、該上皿の遊技球を順次遊技盤に発射操作する発射ハンドルとで構成され、該発射ハンドルによって発射された遊技球が、遊技盤の入球口に入球した場合に所定の賞球が払い出されるようにした構成が一般的である。このようなパチンコ遊技機にあっては、所定の入球口への遊技球の入球に基づいて遊技者に有利な特別遊技を所定確率で付与することとなるものが多く存在する。また近年では、所謂デジパチタイプとハネモノタイプが融合した複合タイプが市場に現れるようになった。
【０００３】
前記パチンコ遊技機に対する代表的な不正行為として、振動、磁力及び電波といった外力を使用した方法が挙げられる。
【０００４】
振動による不正行為は、遊技機の上皿等を手で叩くなどして遊技機に振動を加え、遊技球の自然な落下運動に変化を与え該遊技球を入球口へ誘導するものである。
【０００５】
磁力による不正行為は、遊技盤面に磁石等を近づけ、鋼球である遊技球を磁力によって入球口へ誘導するものである。
【０００６】
電波による不正行為は、電波を出力する何らかの機器を用い、パチンコ遊技機に備えられている入球検知装置を反応させ所定の入球口に入球したかのような誤動作を発生させるものである。この場合の入球検知装置は、遊技球の入球を検出するための近接スイッチからなるセンサを指す。
【０００７】
パチンコ遊技機における前記振動、前記磁力及び前記電波を使用した不正行為の検知は、ホール素子及びリードスイッチ型や、受信回路型の不正行為検知器が各々の不正行為に対して専用の不正行為検知装置として実用化されており、また磁力と電波の検知を兼ねた不正行為検知装置が発明されている
【特許文献１】特開２００４−０８１２３２号公報
【発明の開示】
【発明が解決しようとする課題】
【０００８】
しかしながら近年のパチンコ遊技機においては、前記振動、前記磁力及び前記電波の複数の不正行為検知器を、該パチンコ遊技機の適切な位置に設置することはスペースの問題により極めて困難な状況にある。
【０００９】
この場合の適切な位置とは、不正行為を適切に検知できる位置であり、不正行為に用いられる外力が振動及び磁力の場合は、該外力によって遊技球が誘導される所定の入球口の近傍となる。また、不正行為に用いられる外力が電波の場合は、誤動作させるために該電波が向けられる入球検知装置の近傍となる。
【００１０】
当然のことながら、不正行為である該外力を適切に検知するためには、該外力の影響が懸念される箇所近傍に検知器を設置することが不可欠である。
【００１１】
加えて近年になり、パチンコ遊技機における従来までの種別が融合され、複数の遊技性を備えたパチンコ遊技機が市場に現れるようになった。
【００１２】
従来のパチンコ遊技機は、種別毎の遊技性の違いより、不正行為に使用される外力の種類に偏りがあり、デジパチタイプでは電波が、ハネモノタイプでは振動と磁力が主に用いられるのが通例であった。しかし、該複合タイプでは種別毎の遊技性の融合により、不正行為に使用される外力が多種になるという実状がある。
【課題を解決するための手段】
【００１３】
請求項１記載のパチンコ遊技機は、遊技球の入球に基づいて遊技者に有利な特別遊技を付与することとなる入球口を備えたパチンコ遊技機において、該パチンコ遊技機を誤動作させる電波、及び該パチンコ遊技機に衝撃を加えることによる振動を検知する単一の不正行為検知器を備えたことを特徴とする。
【００１４】
ここでいう「特別遊技」とは、可動片等が作動することによって遊技球の獲得が可能な遊技状態を含むものであり、通常の遊技状態に比べ遊技者が遊技球の獲得を期待することとなる状態を指す。
【００１５】
請求項２記載のパチンコ遊技機は、前記パチンコ遊技機において、前記電波、前記振動及び磁石を接近させることによる磁気変化を検知する単一の不正行為検知器を備えたことを特徴とする。
【００１６】
請求項３記載のパチンコ遊技機は、請求項１又は２記載の不正行為検知器を、前記入球口の近傍に設置することを特徴とする。
【００１７】
請求項４記載のパチンコ遊技機は、請求項１乃至３記載の不正行為検知器を前記入球口が配置された役物内に設置することを特徴とする。
【００１８】
ここでいう「役物」とは、所定の入球口への入球を基に可動片が作動し遊技球の入球が容易となる装置をいう。
【発明の効果】
【００１９】
請求項１記載のパチンコ遊技機によれば、
請求項１記載の不正行為検知器を備えたことにより、単一の検知器で電波及び振動という外力が検知可能となる。
【００２０】
請求項２記載のパチンコ遊技機によれば、
請求項２記載の不正行為検知器を備えたことにより、単一の検知器で電波、振動及び磁力という外力が検知可能となる。
【００２１】
加えて、前記した複合タイプのパチンコ機に、請求項２記載の不正行為検知器を備えることにより、複合タイプのパチンコ遊技機が備えるデジパチタイプの遊技性に対する電波を用いた不正行為とハネモノタイプの遊技性に対する磁力及び振動を単一の不正行為検知器で適切に検知することが可能となる。
【００２２】
請求項３記載によれば、
遊技球の入球に基づいて遊技者に有利な特別遊技を付与することとなる入球口の近傍に請求項１記載又は２記載の不正行為検知器を設置することにより、不正行為の影響が危惧される箇所に於いて複数種類の外力の検知が可能となり、不正行為を適切に検知することができる。
【００２３】
請求項４記載によれば、
前記不正行為検知器を前記入球口が配置された役物内に設置することで、遊技球の運動方向が遊技の結果に最も影響を与えることとなる遊技球の遊技経路直近で、複数種類の外力の検知が可能となり、不正行為を適切に検知することができる。
【発明を実施するための最良の形態】
【００２４】
以下に本発明の好適な実施形態について説明する
【実施例１】
【００２５】
図１は本実施形態のパチンコ遊技機１の正面図であり、該図１に示す通り、パチンコ遊技機１は、大きくは長方形の外枠（図示せず）と前面枠３とからなり、外枠の左隣に公知のカードリーダ４が設けられている。前面枠３は、左端上下のヒンジにより外枠に対し回動可能に取り付けられている。
【００２６】
前面枠３の下方には球貯留部を備えた上皿６が設けられ、賞球或いは貸球のための図示しない排出口と球抜き釦８とを備えている。上皿６の前面枠３下部には下皿７が設けられており、上皿６と下皿７とは連結されている。上皿６が遊技球で満杯状態になれば下皿７に遊技球を誘導するよう構成されている。
【００２７】
下皿７左には、演出釦９、貸出釦１１、精算釦１０及び残高表示部１２が設けられている。プリペイドカードユニット４のカード口５にプリペイドカードを挿入すると、記憶された残高が残高表示部１２に表示され、貸出釦１１を押下すると遊技球の貸出しが実行され上皿６の払い出し口より遊技球が排出される。
【００２８】
また、下皿７の右側には発射ハンドル２が取り付けられている。この発射ハンドル２の外周には、図示しない回動リングが擁され、これを時計方向に回動すれば遊技球を図２に示す遊技盤２１に発射することができる。また遊技盤２１の前面には複層のガラス１３が設けられている。尚パチンコ遊技機１の裏面構成については、公知内容と同一構成であるため説明を割愛する。
【００２９】
次に図２を用いて遊技盤２１について説明する。図２はパチンコ遊技機１から取り外した状態の遊技盤２１を示す正面図である。遊技盤２１の外形はほぼ矩形であり、その前面には外レール２１ｂと内レール２１ｃとによって囲まれた略円形の遊技領域１４が形成されている。なお、図示されていない遊技釘が遊技領域１４の各所に植設されている。
【００３０】
遊技盤２１のほぼ中央には、羽根部材２６の作動により遊技球が入球可能な遊技装置２２が配置されている。遊技装置２２の内部には、特別入球口２３が配置されており、遊技装置２２に入球した遊技球が複数の入球経路を経た後、所定の確率で特別入球口２３へ入球する構造となっている。
【００３１】
特別入球口２３の配置箇所は、その遊技性から必然的に、遊技者からの視認が良好なガラス面１３に近接した位置となる。しかしながらこれは、遊技盤２１の前面から特別入球口２３近傍へ外力を加えやすい構成といえ、不正行為防止の観点には反するが、遊技性を優先するための一般的な構成といえる。
【００３２】
遊技装置２２の上方には、ランプ風車２５が対をなして配置されている。そして、遊技装置２２の下方には、遊技球が入球することにより羽根部材２６を２回作動させる中羽根作動口２７が設けられ、羽根作動口２７の左右には、遊技球が入球することにより羽根部材２６を１回作動させる一対の羽根作動口２８が設けられている。
【００３３】
遊技領域１４の内レール１１ｃ沿い左右にはサイドランプ２９が設置され、サイドランプ２９と遊技装置２２の間には、上一般入球口３０と下一般入球口３１と風車３２が左右対称で配置されている。
【００３４】
また、遊技盤２１の裏面には、特別入球口２３近傍となる遊技装置２２の下部に磁気振動電波検知器３３が配置されている。
【００３５】
尚、パチンコ遊技機１における信号の伝達経路については、公知内容と差異がないため説明を割愛するが、磁気振動電波検知器３３は、パチンコ遊技機１の裏面に配置された公知の制御基板（所謂、主制御基板、賞球制御基板、サブ統合基板など）に電気的に接続される。
【００３６】
次に、図３，４，５，６を用いて磁気振動電波検知器３３について説明をする。振動磁力電波検知器３３は、導電性のコイル４０と、その片端にある円柱型の蓋部４２と、蓋部４２の中央に備えられた吊り下げ支持部４３から導電体４４によって吊り下げ支持された導電性の球４１とコイル４０の両端から電気的に接続された起電力検出部３３ａから構成されている。
【００３７】
吊り下げられた球４１は吊り下げ支持部４３を基点として全方向に対して振子運動が可能な状態にあり、加えて吊り下げ支持部４３においては、球４１の振り幅を調整できる機能を有している。
【００３８】
また振子運動の方向は、パチンコ遊技機１に対して吊り下げ支持部４３を基点として前後方向のみが可能な調整でもよい。これはパチンコ遊技機１に加えられる不正行為となる外力が、パチンコ遊技機１の前面から加えられるのが通例で、外力の方向がパチンコ遊技機１に対して主に前後方向に伝わるためであり、磁気振動電波検知器３３においては前後の振子運動で検知が可能となる。
【００３９】
吊り下げ支持された球４１が振動により揺れ、図４、６に示すようにコイル４０の内面に接触すると、通常は電気的に断状態の検知器が通電し、不正行為検知信号がパチンコ遊技機１に備えられた公知の制御基板に出力される。また、出力を受けた該制御基板は、公知技術に沿って報知を行う。
【００４０】
前記と同様に、吊り下げ支持された球４１が磁力により揺れ、図４、６に示すようにコイル４０の内面に接触すると、通常は電気的に断状態の検知器が通電し、不正行為検知信号がパチンコ遊技機１に備えられた公知の制御基板に出力される。また、出力を受けた該制御基板は、公知技術に沿って報知を行う。
【００４１】
コイル４０部が電波を受けると電磁誘導によりコイル４０に起電力が発生する。この起電力を起電力検出部３３ａで検知すると不正行為検知信号がパチンコ遊技機１に備えられた公知の制御基板に出力される。また、出力を受けた該制御基板は、公知技術に沿って報知を行う。
【００４２】
前記で説明したように、パチンコ遊技機１に向けられる外力の方向は、パチンコ遊技機１に対して前後方向が主となる。図１１ではこの特性を考慮し、磁気振動電波検知器改３３ｂとして示している。
【００４３】
その構造は、外殻の前後を前導電板６８と後導電板６９で構成し、前導電板６８と後導電板６９の片端には矩形の蓋部４２ａがあり、蓋部４２ａの略中央に備えられた吊り下げ支持部４３ａから導電体４４ａによって吊り下げ支持された導電体の球４１ａと前導電板６８に電気的に接続された起電力検出部３３ｃから構成されている。また、各部品の働きは磁気振動電波検知器３３と同一である。これにより、前後方向の外力の検知感度が良好となり、簡易な形状で前後幅が大きくならずにすむ。
【００４４】
当然のことながら、磁気振動電波検知器３３または磁気振動電波検知器改３３ｂの設置時は、球４１、４１ａがコイル４０または前導電板６８と後導電板６９の内面に非接触状態で取り付けられる。パチンコ遊技機１を遊技施設に設置する場合、パチンコ遊技機１の上部を後方に傾け、４分５厘の傾斜角度を与えることが通例であるが、磁気振動電波検知器３３または磁気振動電波検知器改３３ｂは、パチンコ遊技機１が該傾斜角度をもって設置された場合においても、球４１、４１ａが蓋部４２、４２ａから垂直に吊り下げられ、コイル４０または前導電板６８と後導電板６９の内面のどの位置からも均等な距離にある状態で取り付けられる。この取り付け状態によって、外力の方向によって検知感度に偏りを生じない。
【００４５】
特別入球口２３近傍で発生する振動及び磁力という外力は、明らかに特別入球口２３へ遊技球を誘導するために発生した不正行為を基にした外力であり、特別入球口２３近傍で発生する電波も同様に、特別入球口２３近傍に設置された特別入球口入球検出スイッチ６６を誤動作させるために発生した不正行為を基にした外力である。前記振動、前記磁力及び前記電波の外力に対して、磁気振動電波検知器３３を特別入球口２３近傍に設置し、実施例１の構成を採用することにより、従来はスペースの問題により困難であった前記振動、前記磁力及び前記電波という複数種類の外力を、当該不正行為を基にした外力の影響が懸念される特別入球口２３の近傍で適切に検知することが可能となる。
【００４６】
実施例１では、磁気振動電波検知器３３の設置位置を遊技盤２１裏面の遊技装置２２下部としたが、遊技盤２１裏面においてこの位置に限るものではない。また、ハネモノタイプのパチンコ遊技機を用いて説明したが、パチンコ遊技機の種別を限定するものではない。
【実施例２】
【００４７】
次に実施例２を説明する。実施例１では磁気振動電波検知器３３を特別入球口２３近傍となる遊技盤２１裏面の遊技装置２２下部に設置したが、実施例２では、磁気振動電波検知器３３を、特別入球口２３が配置された遊技装置２２の内部に設置することが特徴となる。また、実施例２では図１、３、４、５、６、は実施例１と同一内容となり、図２においても遊技盤面２１に配置された遊技装置２２の設置位置は同一である。従って、実施例２では、磁気振動電波検知器３３の設置位置を図７、８、９、１０を用いて説明する。
【００４８】
図７は、磁気振動電波検知器３３を内部に設置した遊技装置２２の正面図であり、図８は、遊技装置２２のＡ−Ａ’断面図である。遊技装置２２の最上部には、天入球口５１が備えられ、上位部左右両端には、遊技装置２２の遊技球の入口を開閉する一対の羽根部材２６が備えられている。左右の羽根部材２６の内側には遊技球を上ステージ５３へ導くための通路となる取込通路５２が入球検知スイッチ５５と一体となって設けられている。
【００４９】
上ステージ５３の奥中央には中通過口５６が設けられ、その前方には振分ローター５９が備えられている。さらに中央通過口５６左右には左通過口５７と右通過口５８が設けられ、下ステージ５４奥に設けられた中吐出口６０、左吐出口６１、右吐出口６２と上下で各々一対となっている。
【００５０】
下ステージ５４前方中央には、遊技球が入球すると遊技者に有利な特別遊技を付与することとなる特別入球口２３が設けられており、その左右には、はずれ入球口６３が設けられている。加えて下ステージ５４の遊技球経路の裏には磁気振動電波検知器３３が設置され該磁気振動電波検知器３３の直下には特別入球口入球検出スイッチ６６が設置されている。
【００５１】
上記構成により、中羽根作動口２７または羽根作動口２８への入球により羽根部材２６作動時に遊技装置２２へ入球した遊技球は、取込通路５２から上ステージ５３に放出され、上ステージ５３奥にある中通過口５６、左通過口５７、右通過口５８のいずれかに導かれる。中通過口５６に入球した遊技球は、下ステージ５４奥に設けられた中吐出口６０から下ステージ５４に放出され、左通過口５７に入球した遊技球は下ステージ５４奥に設けられた左吐出口６１から下ステージ５４に放出され、右通過口５８に入球した遊技球は下ステージ５４奥に設けられた右吐出口６２から下ステージ５４に放出される。いずれかの吐出口から下ステージ５４に放出された遊技球は、下ステージ５４の前方中央に設けられている特別入球口２３か、その左右に設けられているはずれ入球口６３のいずれかに入球する。
【００５２】
このような遊技球の経路を有する遊技装置２２では、下ステージ５４における遊技球の運動方向が、特別入球口２３への入球を左右し、下ステージ５４の近傍に配置された特別入球口入球検出スイッチ６６が特別入球口２３への遊技球の入球を検知することとなる。
【００５３】
振動及び磁力を用いて不正行為を行う場合、外力は、下ステージ５４の前方に位置する特別入球口２３へ遊技球を誘導するために、下ステージ５４を転がる遊技球の運動方向に影響を与え、電波を用いて不正行為を行う場合は、遊技球が特別入球口２３へ入球後通過することとなる特別入球口入球検出スイッチ６６を誤動作させることを不正行為の目的とする。しかしながら、振動及び磁力という外力は、遊技球のみに対して直接加えることが可能な外力ではなく、遊技球を誘導することを目的として、下ステージ５４方向に向けて発せられる。同様に電波という外力に於いても、特別入球口入球検出スイッチ６６は、パチンコ遊技機１前面から視認不可能なため、特別入球口２３入球後の通路となる下ステージ５４の下部に向けて発せられることになる。
【００５４】
従って、不正行為となる振動、磁力及び電波という外力を適切に検知する場合、該外力の検知を下ステージ５４の直下に於いて実施すること効果的である。
【００５５】
次に図９を参照して実施例２の変形例１について説明する。
【００５６】
図９は、遊技装置２２のＡ−Ａ’断面一部拡大図改１である。図示したように変形例１では、遊技装置２２における磁気振動電波検知器３３の位置を、ガラス１３に接近させ、特別入球口２３の直下のスペースに設置した。
【００５７】
遊技中の前記外力を用いた不正行為は、当然のことながらパチンコ遊技機１の前面から実施される。従って前記外力はガラス１３側から遊技盤２１に向かうこととなる。従って、磁気振動電波検知器３３をガラス１３に接近させることで、パチンコ遊技機１の前面から加えられる外力が、下ステージ５４上の遊技球又は特別入球口入球検出スイッチ６６に影響を与える前に該外力の検知が可能となる。
【００５８】
次に図１０を参照して実施例２の変形例２について説明する。
【００５９】
図１０は遊技装置２２のＡ−Ａ’断面一部拡大図改２である。変形例２では特別入球口２３の配置位置をガラス１３から遠ざけ、特別入球口２３とガラス１３の間となる位置に磁気振動電波検知器３３を配置するスペースを設けた。且つ、特別入球口２３の左右にあるはずれ入球口６３も特別入球口２３と同じ様に奥に移動し、はずれ入球口６３と特別入球口２３の前側縁となる箇所に壁部６７を設けた。これにより、中吐出口６０、左吐出口６１、右吐出口６２のいずれかの吐出口から放出された遊技球は、該壁部６７までが移動範囲となり、壁部６７よりもガラス１３に接近することはない。
【００６０】
上記構成とすることで、遊技球の移動範囲外で且つガラスに接近した位置で外力の検知が可能となる。この構成は、特別入球口２３の視認性はやや低下するが、変形例１以上に、外力が遊技球又は特別入球口入球検出スイッチ６６に影響を与える前に該外力を検知する効果が生まれ、且つ検知を逃れながら外力によって遊技球を特別入球口２３へ誘導することを困難とする。
【００６１】
実施例２では、磁気振動電波検知器３３の効果的な設置位置を、遊技装置２２を用いて説明したが、樹脂成型部材を組み合わせた役物の構造と磁気振動電波検知器３３の設置位置を限定するものではない。
【００６２】
また、実施例２の説明で用いたハネモノタイプのゲーム性にデジパチタイプのゲーム性を融合した複合タイプのパチンコ遊技機においては、各々のゲーム性に使用される不正行為は、ハネモノタイプは振動及び磁力、デジパチタイプは電波、であることから、振動、磁力及び電波の外力が単一の検知器で検知できる磁気振動電波検知器３３が、有効な不正行為検知手段となる。
【００６３】
加えて、実施例では、磁気振動電波検知器３３のコイル４０の形状と水平略中心に吊り下げられた導電体４４と球４１の形状においては、コイル４０は円筒形としたが、これは内部が空洞状態であるならば外殻形状は水平形状は円に限るものではなく多角形状でもよい。また外殻は錐体でもよい。水平略中心に吊り下げられた導電体４４と球４１の形状は、筒状の内部に吊り下げられ、振動及び磁力によって振子運動が可能な形状ならば、実施例の形状に限るものではない。
【図面の簡単な説明】
【００６４】
【図１】本発明に係るパチンコ遊技機１を示す正面図
【図２】本発明に係るパチンコ遊技盤２１を示す正面図
【図３】本発明に係る磁気振動電波検出器３３の通常時を示す概略正面図
【図４】本発明に係る磁気振動電波検出器３３の外力検出時を示す概略正面図
【図５】本発明に係る磁気振動電波検出器３３の通常時を示す概略斜視図
【図６】本発明に係る磁気振動電波検出器３３の外力検出時を示す概略斜視図
【図７】実施例２に係る遊技装置２２を示す正面図
【図８】実施例２に係る遊技装置２２を示す断面図
【図９】実施例２に係る遊技装置２２のＡ−Ａ’断面一部拡大図改１
【図１０】実施例２に係る遊技装置２２のＡ−Ａ’断面一部拡大図改２
【図１１】本発明に係る磁気振動電波検出器改３３ｂの通常時を示す概略斜視図
【符号の説明】
【００６５】
１.パチンコ遊技機            ２.発射ハンドル
３.前面枠                    ４.プリペイドカードユニット
５.カード口                  ６.上皿
７.下皿                      ８.球抜き釦
９.演出釦                    １０.精算釦
１１.貸出釦                  １２.残高表示部
１３.ガラス                  １４.遊技領域
２１.遊技盤                  ２１ｂ.外レール
２１c.内レール              ２２.遊技装置
２３.特別入球口              ２５.ランプ風車
２６.羽根部材                ２７.中羽根作動口
２８.羽根作動口              ２９.サイドランプ
３０.上一般入球口            ３１.下一般入球口
３２.風車                    ３３.磁気振動電波検出器
３３ａ.起電力検出部          ３３ｂ.磁気振動電波検出器改
４０.コイル                  ４１.４１ａ.球
４２.４２ａ.蓋部             ４３.４３ａ吊り下げ支持部
４４.４４ａ.導電体           ５０.台板
５１.天入球口                ５２.取込通路
５３.上ステージ              ５４.下ステージ
５５.入球検出スイッチ        ５６.中通過口
５７.左通過口                ５８.右通過口
５９.振分ローター            ６０.中吐出口
６１.左吐出口                ６２.右吐出口
６３.はずれ入球口            ６５.モーター
６６.特別入球口入球検出スイッチ
６７.壁部                    ６８.前導電板
６９.後導電板
【図１】
2008272335.tif 000003
【図２】
2008272335.tif 000004
【図３】
2008272335.tif 000005
【図４】
2008272335.tif 000006
【図５】
2008272335.tif 000007
【図６】
2008272335.tif 000008
【図７】
2008272335.tif 000009
【図８】
2008272335.tif 000010
【図９】
2008272335.tif 000011
【図１０】
2008272335.tif 000012
【図１１】
2008272335.tif 000013